(57)【要約】      （修正有）【課題】伸縮可能として携帯性を向上させ、かつ安全性の高いゴルフのスイング練習具を提供する。【解決手段】シャフトをグリップ２が取り付けられた第１シャフト１０とウエイト３０が結合された第２シャフト２０とに分割して、第１シャフト１０の内側を第２シャフト２０がスライド可能とし、第１シャフト１０にはウエイト３０寄りに縮径部１２を設け、第２シャフト２０には第１シャフト１０内に位置する一端に拡径部２３を設けて、第２シャフト２０の拡径部２３を第１シャフト１０の縮径部１２に係止させた伸張状態と、第２シャフト２０を第１シャフト１０に押し込んだ短縮状態とに伸縮可能とする。伸長状態でスイング練習に用い、短縮した格納状態で携帯する。格納状態でもばらばらにならず、また、ウエイト３０は第２シャフト２０に取り外し不能に結合されているので、スイング練習中のウエイト離脱事故も発生しない。【選択図】図２
0003187479.tif 000002
【実用新案登録請求の範囲】
【請求項１】
シャフトの一端にグリップを備え、他端にウエイトを備えるゴルフのスイング練習具であって、
前記シャフトが、少なくとも前記グリップを取り付けた第１シャフトと前記ウエイトを結合した第２シャフトとに分割されるとともに、前記第１シャフトと第２シャフトの間に伸縮機構を備えて伸張状態と短縮状態とに長さを変化可能としたことを特徴とするゴルフのスイング練習具。
【請求項２】
前記伸縮機構は、
パイプ状の第１シャフト側部材の内側を第２シャフト側部材がスライド可能とされるとともに、
前記第１シャフト側部材は前記第２シャフト側部材側に縮径部を有し、前記第２シャフト側部材は前記第１シャフト側部材内に位置する一端に拡径部を有して、
前記第２シャフト側部材の前記拡径部を前記第１シャフト側部材の縮径部に係止させて前記伸張状態とし、前記第２シャフト側部材を前記第１シャフト側部材に押し込んで前記短縮状態とすることを特徴とする請求項１に記載のゴルフのスイング練習具。
【請求項３】
前記第１シャフト側部材を前記第１シャフト自体とし、前記第２シャフト側部材を前記第２シャフト自体として、当該第１シャフトと第２シャフトのみで前記伸縮機構を形成したことを特徴とする請求項２に記載のゴルフのスイング練習具。
【請求項４】
前記第２シャフトの後端から前記ウエイトの後端面までの距離が前記第１シャフトの全長以下に設定されて、
前記ウエイトの後端面を前記第１シャフトの前端に当接させたとき前記シャフトが最短となることを特徴とする請求項３に記載のゴルフのスイング練習具。
【請求項５】
前記シャフトの長さを最短限まで短縮させたときの前記グリップおよびウエイトを含む全長を４０ｃｍ以下に設定したことを特徴とする請求項１から４のいずれか１に記載のゴルフのスイング練習具。
【考案の詳細な説明】
【技術分野】
【０００１】
本考案は、ゴルフのスイング練習具に関する。
【背景技術】
【０００２】
ゴルフの上達を狙ってクラブのスイング練習を行うためのスイング練習具が従来より提供されている。このようなスイング練習具は狭いスペースでも使用できるように全長を通常のクラブよりも若干短くしてあり、例えば実用新案登録第３０５６７０９号公報に開示されたものではシャフト部の一端にクラブヘッドを模した合成ゴムのウエイトを備え、他端にグリップを備えて全長を短いながらも６０ｃｍ以上として、素振りしたときのヘッドスピードと同様の感触を得ながらの練習を可能としている。
【先行技術文献】
【特許文献】
【０００３】
【特許文献１】実用新案登録第３０５６７０９号公報
【特許文献２】実用新案登録第３１５６４７０号公報
【考案の概要】
【考案が解決しようとする課題】
【０００４】
ところで、熱心なゴルフプレイヤーは例えば業務出張など所用の時間の合間にも練習するため、移動の際にもスイング練習具を携帯したいとの希望が聞かれる。しかし、通常のクラブよりも短いとは言え、かばんやビジネスケースに収まるサイズではなく、分割もできないので、手荷物が増えるという不都合があり、さらには、密かに練習しようとしていることやスイング練習具を使用していることを知られたくない場合にはその運搬に悩む実情がある。
【０００５】
そこで、分割可能なスイング練習具として、実用新案登録第３１５６４７０号公報に開示されたものがある。これは、グリップと、シャフトと、シャフトの先端に取付用部材を介して取り付ける容器本体とからなるもので、容器本体の内部に液体、鋼球あるいは砂などを充填してクラブヘッド相当のウエイトとする。取付用部材はシャフトに固定された固定リングにより抜け止めされるとともに雌ネジを有し、容器本体の開口部の雄ネジと結合することによりシャフトと容器本体を連結する。
これによれば、容器本体を取り外すことによりグリップおよびシャフトと容器本体とが分離され、それぞれ短くなるのでコンパクトに運搬可能となる。
【０００６】
しかしながら実用新案登録第３１５６４７０号公報のものは、シャフト（およびグリップ）と容器本体とが分離されるので運搬時に離散しないように注意が必要なことと、連結作業が面倒である点で取り扱いに問題がある。そしてとくに重大な問題として、シャフトと容器本体の連結作業を使用者自身に行わせることとなるので、連結の確実性が保障されず、取付用部材と容器本体とのネジ結合が不完全な状態で使用されると重量の大きなウエイト（容器本体）が予期しない方向に離れ飛んで、周辺の損壊や人身事故を招くおそれがある。
【０００７】
したがって本考案は、上記従来の問題点に鑑み、取り扱いが容易でしかも高い安全性をもって長さが短縮可能で、携帯性を向上させたゴルフのスイング練習具を提供することを目的とする。
【課題を解決するための手段】
【０００８】
このため、本考案は、シャフトの一端にグリップを備え、他端にウエイトを備えるゴルフのスイング練習具において、シャフトが、少なくともグリップを取り付けた第１シャフトとウエイトを結合した第２シャフトとに分割されるとともに、前記第１シャフトと第２シャフトの間に伸縮機構を備えて伸張状態と短縮状態とに長さを変化可能なものとした。
【考案の効果】
【０００９】
本考案のスイング練習具は、スイングに適した全長の使用状態と、携帯に適した格納状態にすることができる。そして、短縮された格納状態でも一体性を保持するので、ばらばらにならず、携帯の際の取り扱いも容易である。
また、ウエイトは取り外し不能に第２シャフトに結合されているので、スイング練習中にウエイトが離脱する事故発生のおそれもない。
【図面の簡単な説明】
【００１０】
【図１】本考案の実施の形態を示す図である。
【図２】実施の形態の詳細を示す部分拡大図である。
【考案を実施するための形態】
【００１１】
以下、本考案の実施の形態について説明する。
図１は実施の形態のスイング練習具を示す図で、（ａ）は、スイング練習に使用する伸長状態の全体外観図、（ｂ）は伸長状態の断面図、（ｃ）は格納（短縮）状態の断面図である。
図２は詳細を示し、（ａ）は図１の（ｂ）におけるＡ部の拡大断面図、（ｂ）は図１の（ｂ）におけるＢ部の拡大断面図である。
スイング練習具１は、主要構成としてグリップ２と、第１シャフト１０および第２シャフト２０からなるシャフト５と、ウエイト３０とからなる。ウエイト３０はクラブヘッドに相当する。
以下では、ウエイト３０側を前方、グリップ２側を後方として説明する。
【００１２】
グリップ２は合成ゴムあるいは樹脂製で、筒部３とその後端を閉じる底壁４からなっている。通常のクラブのものと同様に筒部３の外形は前方が小径で後方に進むほど大径となっている。
とくに図１の（ｂ）に示されるように、筒部３の内径は第１シャフト１０の外径に整合し、第１シャフト１０の後端が底壁４に当接するまで挿入されて、接着によりグリップ２と第１シャフト１０とが一体に結合されている。グリップ２（筒部３）の前端は第１シャフト１０の前端近くまで延びている。
シャフト５を形成する第１シャフト１０と第２シャフト２０は、それぞれ金属製（たとえばステンレス材）のパイプ状で、第２シャフト２０の外径は第１シャフト１０の内径よりも小径であり、第１シャフト１０内にスライド可能に収容されて、第１シャフト１０の前端から前方に延びている。
【００１３】
図２の（ｂ）に示されるように、ウエイト３０は金属円柱を素材とし、後端付近には後方に進むほど小径となる傾斜の緩やかな円錐面３１を有する。また図１の（ａ）に示されるように、ウエイト３０の前端の角部は曲面の面取り３２、後端の角部は円錐面の面取り３３とされている。
ウエイト３０は第２シャフト２０の前端に結合されている。具体的には、ウエイト３０の後端面に第２シャフト２０の外径と整合して軸方向に延びる穴３５が開口し、この穴３５に第２シャフト２０の前端が差し込まれている。ウエイト３０には穴３５を横切る直径線上にネジ貫通孔３６とネジ孔３８が形成され、ネジ貫通孔３６とネジ孔３８は穴３５を挟んで対向している。ネジ貫通孔３６の側面開口部はネジ７のヘッド８が着座する座面を有する大径部３７となっている。
【００１４】
第２シャフト２０にもネジ貫通孔３６に対応する取付孔２１が形成されて、ネジ貫通孔３６から挿入されたネジ７が穴３５に差し込まれた第２シャフト２０の取付孔２１を貫通してネジ孔３８にねじ込まれている。ネジ貫通孔３６の大径部３７には硬化樹脂４０が充填され、ネジ孔３８にも外方から硬化樹脂４０が充填されて、これによってウエイト３０と第２シャフト２０が結合され、ネジ７が緩まないとともに、使用者がウエイト３０を第２シャフト２０から意図的にも取り外せないようになっている。すなわち、本願においてウエイト３０と第２シャフト２０の結合とは使用者が随意に取り付け、取り外しができない構成を意味する。
【００１５】
図２の（ａ）に示されるように、第２シャフトの後端は第１シャフトとの滑らかなスライドが確保される範囲で第１シャフトの内径と整合する径までフレア加工された拡径部２３となっている。そして、第１シャフト１０の前端近くには第２シャフト２０との滑らかなスライドが確保される範囲で外周側から内径方向にプレスされた縮径部１２が設けられている。縮径部１２はグリップ２のカバー範囲内に位置して外観に表われず、美観に影響を与えないようになっている。
第１シャフト１０の縮径部１２より前方の内側には樹脂製のスリーブ１５が配置され、第２シャフト２０の外周面との間隙を埋めて、相対的な倒れなく第１シャフト１０と第２シャフト２０が直線的に滑らかにスライド可能としてある。
こうして、シャフト５が伸縮可能となっている。
【００１６】
第２シャフト２０は後端の拡径部２３が縮径部１２に係止して第１シャフト１０から前方へのスライドが規制されて、伸長時のスイング練習具の全長が規定される。図１の（ａ）、（ｂ）はこの状態を示している。
スリーブ１５により第１シャフト１０と第２シャフト２０間のガタが吸収されるので、第１シャフト１０の前端から縮径部１２までの距離Ｓを相当短くしても第１シャフト１０と第２シャフト２０の直線性が保持され、伸長時の全長を大きくできる。
【００１７】
また、第２シャフト２０が第１シャフト１０に押し込まれる方向にはウエイト３０の後端面が第１シャフト１０の前端に当接して、スイング練習具の格納（短縮）時の全長が規定される。図１の（ｃ）がこの格納状態を示している。
第２シャフト２０の後端（拡径部２３）からウエイト３０の後端面までの距離Ｌ２は、第１シャフト１０の全長Ｌ１以下ではあるが同等レベルに設定され、ウエイト３０の後端面が第１シャフト１０の前端に当接したとき第２シャフト２０の後端が第１シャフト１０の後端より後方に突出しないようになっている。
【００１８】
スイング練習具１の格納（短縮）時の全長を４０ｃｍ以内とすれば、通常のかばんやビジネスケースに容易に収納できる。例えば、ウエイト３０の長さを８．７ｃｍ、第１シャフト１０の全長を３０ｃｍに設定すれば格納時の全長は略３９ｃｍとなり、従来多く見られる全長６０ｃｍ以上に比較して顕著に短縮される。そしてこの場合に、ウエイト３０の後端面から第２シャフト２０の後端までの長さを２８．５ｃｍ、第１シャフト１０の前端から縮径部１２までの距離を５ｃｍに設定すれば、伸長時のスイング練習具１の全長は略６３ｃｍとなる。
【００１９】
格納状態のスイング練習具１を伸長させるには、一方の手でグリップ２を保持し、他方の手でウエイト３０を掴んでスライドが停止するまで単に引き出すだけでよい。伸長状態で素振りなどスイングしても、第２シャフト２０はその拡径部２３が縮径部１２に係止して第１シャフト１０から抜けることはなく、グリップ２からウエイト３０までの距離が固定され、安定したスイング練習ができる。
ここで、ウエイト３０の直径を例えば３０ｍｍ前後の所定値に設定することにより、ウッド１番のドライバーと同等の慣性モーメントを得ることができる。
【００２０】
携帯のため格納するときは、ウエイト３０を掴んで伸長時と逆方向に第２シャフト２０を第１シャフト１０に押し込めばよい。拡径部２３が第１シャフト１０の縮径部１２から離れるだけであるから、特段の抵抗なく容易に短縮される。そして短縮されても１ユニットとして一体性を保持し、ばらばらに分離することがない。
【００２１】
本実施の形態では、第１シャフト１０と第２シャフト２０自体で考案における伸縮機構を形成し、とくに縮径部１２を有する第１シャフト１０が第１シャフト側部材に該当し、拡径部２３を有する第２シャフト２０が第２シャフト側部材に該当する。
【００２２】
実施の形態は以上のように構成され、シャフト５の一端にグリップ２を備え、他端にウエイト３０を備えるゴルフのスイング練習具１において、シャフト５をグリップ２が取り付けられた第１シャフト１０とウエイト３０が結合された第２シャフト２０とに分割するとともに、シャフト５の長さを伸張状態と短縮状態とに伸縮可能なものとしたので、スイングに適した全長の使用状態と、携帯に適した格納状態にすることができる。
短縮された格納状態でも一体性を保持するので、ばらばらにならず、携帯の際の取り扱いも容易である。
そして、ウエイト３０は第２シャフト２０に結合されていることから、使用者が随時に取り付け取り外しすることができないので、使用者による不適切な取り付けによるスイング練習中のウエイト離脱事故発生のおそれがない。
【００２３】
とくにシャフト５の伸縮は、第１シャフト１０の内側を第２シャフト２０がスライド可能とし、第１シャフト１０にはウエイト３０寄りに縮径部１２を設け、第２シャフト２０には第１シャフト１０内に位置する一端に拡径部２３を設けて、第２シャフト２０の拡径部２３を第１シャフト１０の縮径部１２に係止させて伸張状態とし、第２シャフト２０を第１シャフト１０に押し込んで短縮状態とするものとしたので、第２シャフト２０を第１シャフト１０から引き伸ばせば使用状態となり、第２シャフト２０を第１シャフト１０に押し込むだけで格納状態となり、切り替えが極めて容易である。
【００２４】
第１シャフト１０と第２シャフト２０のみで伸張した使用状態と短縮した格納状態とに変化させる伸縮機構を形成しているので、構造簡単で部品点数が最小限で済み、製作が容易で、低コストで実現される。
【００２５】
第２シャフト２０の後端からウエイト３０の後端面までの距離Ｌ２が第１シャフト１０の全長Ｌ１以下に設定されて、ウエイト３０の後端面を第１シャフト１０の前端に当接させたときシャフト５が最短となるようにしてあるので、ウエイト３０の後端面が第１シャフト１０の前端に突き当たった感触により最短限まで短縮した格納状態となったことが容易に認識され、取り扱いが容易である。
とくに、シャフト５の長さを最短限まで短縮させたときのスイング練習具１の全長を４０ｃｍ以下に設定することにより、通常のかばんやビジネスケースに収納できるので、常時どこへでも容易に携行できるとともに、他人の目にも曝されないので、密かにゴルフ練習を行いたい人にも高い利用価値を有する。
【００２６】
なお、実施の形態における数値はあくまでも例示であって、本考案は記載例に限定されるものではない。
また、ドライバー（１番）と同等の慣性モーメントに言及したが、ウエイトの重量を選択設定することにより他の任意の番手のクラブに対応する慣性モーメントに得ることももちろん可能である。なお、ウエイトの重量を所定の値とするためにはウエイトの直径を変化させる手段に限らず、軸方向の長さを変化させることによってもよい。
【００２７】
実施の形態では、クラブヘッドを模したウエイト３０を金属製とし、第２シャフト２０に対する結合はネジ７と硬化樹脂４０の充填によるものとしたが、使用者が随意に取り付け、取り外しができない構成であれば、他の結合形態でもよい。
また、ウエイト３０は金属製のほか、合成ゴムや樹脂性でもよく、それぞれに適した結合構造を採用すればよい。
第１シャフト１０と第２シャフト２０はステンレス材とすることにより高い美観を有するが、表層のみをステンレス材とする積層パイプを用いても同様に高い美観を奏することができる。
拡径部２３はフレア加工によるものとしたが、第２シャフト２０の後端外周に別部材を溶接などにより結合して形成することもできる。そして必ずしも全周にわたらずとも、縮径部１２と係止可能であれば周方向の一部における突部の形態をなすものでもよい。
逆に、縮径部１２も拡径部２３と係止可能であれば周方向の一部における内径側への突部の形態をなすものでもよい。
【００２８】
また、実施の形態ではシャフト５の伸縮機構を第１シャフト１０と第２シャフト２０のみで形成したが、これに限定されず、たとえば第１シャフト１０と第２シャフト２０の間に１または２以上の中間シャフトを設けて多段で伸縮させれば、第１シャフト、第２シャフトおよび中間シャフトのそれぞれを一層短くできるので、格納（短縮）状態のスイング練習具の全長がさらに短縮される。この場合、中間シャフトはそれぞれ後端（第１シャフト側）に拡径部、前部（第２シャフト側）に縮径部を有して、順次にその拡径部を隣接する第１シャフト側のシャフトの縮径部に係止させて伸張状態を得、前側のシャフトを後側のシャフトに順次押し込むことにより短縮させる構成とすればよい。
【００２９】
さらには、シャフト５の伸縮機構では拡径部を隣接する第１シャフト側の縮径部に係止させて伸張状態を得るものとしたが、これに限定されず、隣接して互いにスライド可能な一方のシャフトから径方向に付勢された爪を他方のシャフトに形成された孔あるいは凹部に係止させて伸張状態を得る構成やその他種々の伸縮機構を採用することができる。
【符号の説明】
【００３０】
１    スイング練習具
２    グリップ
３    筒部
４    底壁
５    シャフト
７    ネジ
８    ヘッド
１０    第１シャフト
１２    縮径部
２０    第２シャフト
２１    取付孔
２３    拡径部
３０    ウエイト
３１    円錐面
３２、３３    面取り
３５    穴
３６    ネジ貫通孔
３７    大径部
３８    ネジ孔
４０    硬化樹脂
【図１】
0003187479.tif 000003
【図２】
0003187479.tif 000004